(57)【特許請求の範囲】
【請求項１】
フックが設けられた吊り具本体の一面に係止爪片が設けられ、吊り具本体の一面と係止爪片との間に間隔保持用凸部が設けられ、係止爪片には、ほぼ平行な相背向する狭幅の２辺と、ほぼ平行な相背向する広幅の２辺とが設けられ、狭幅の２辺と広幅の２辺との間に斜辺が設けられ、パネルの一面に設けられた凹溝であって奥部の幅が開口部の幅よりも拡大された凹溝の開口部に係止爪片の狭幅の２辺を沿わせて凹溝の開口部から凹溝内に挿入でき、パネル吊り具を回動して広幅の２辺が凹溝奥部の壁面に圧接できるものであることを特徴とするパネル吊り具。
【発明の詳細な説明】
【０００１】
【発明の属する技術分野】
本発明は、建物の外壁用パネル等のパネルの吊り上げの際に使用して好適なパネル吊り具、パネル吊り具付きパネル及びパネルの吊り上げ方法に関するものである。
【０００２】
【従来の技術】
従来、例えば、特開平３−５５３５号公報等に記載されているように、建物の建築現場においては、外壁用パネル等のパネルをクレーン等の吊り上げ装置により吊り上げてパネルを建物の所定位置に取付けることが知られている。
【０００３】
外壁用パネル等のパネルをクレーン等の吊り上げ装置により吊り上げる際には、パネルに吊り上げ用のプレートを一々溶接により取付け、この吊り上げ用のプレートに吊り上げ装置のフックを係合させてパネルを吊り上げていた。
【０００４】
【発明が解決しようとする課題】
叙上のように、パネルに吊り上げ用のプレートを一々溶接により取付けるのは、工数がかかり煩瑣であり、コスト高に繋がる。
【０００５】
本発明は、このような従来のパネルの吊り上げの際における問題点に着目してなされたものであり、その目的とするところは、従来の問題点を解決し、パネルに吊り上げ用のプレートを一々溶接する必要がなく、パネルを容易に吊り上げることのできるパネル吊り具、パネル吊り具付きパネル及びパネルの吊り上げ方法を提供することにある。
【０００６】
【課題を解決するための手段】
上記目的を達成するために、請求項１記載の本発明パネル吊り具は、フックが設けられた吊り具本体の一面に係止爪片が設けられ、吊り具本体の一面と係止爪片との間に間隔保持用凸部が設けられ、係止爪片には、ほぼ平行な相背向する狭幅の２辺と、ほぼ平行な相背向する広幅の２辺とが設けられ、狭幅の２辺と広幅の２辺との間に斜辺が設けられ、パネルの一面に設けられた凹溝であって奥部の幅が開口部の幅よりも拡大された凹溝の開口部に係止爪片の狭幅の２辺を沿わせて凹溝の開口部から凹溝内に挿入でき、パネル吊り具を回動して広幅の２辺が凹溝奥部の壁面に圧接できるものであることを特徴とするものである。
【０００７】
又、請求項２記載のパネル吊り具付きパネルは、
パネルの一面に凹溝が設けられ、凹溝の奥部の幅は凹溝の開口部の幅よりも拡大され、凹溝内に請求項１記載のパネル吊り具の係止爪片が挿入され、係止爪片の広幅の２辺が凹溝の奥部の壁面に圧接され、係止爪片の狭幅の２辺間の長さは凹溝の開口部の幅の長さとほぼ等しいか若干小さいものであることを特徴とするものである。
【０００８】
又、請求項３記載のパネルの吊り上げ方法は、
請求項２記載のパネルを請求項１記載のパネル吊り具を使用して吊り上げるに当たり、先ず請求項１記載のパネル吊り具の係止爪片の狭幅の２辺をパネルの凹溝の開口部に沿わせ、凹溝の開口部から凹溝内に係止爪片を挿入し、パネル吊り具を回動してパネル吊り具の係止爪片の広幅の２辺を凹溝の奥部の壁面に圧接させることによりパネルにパネル吊り具を取付け、パネル吊り具のフックに吊り上げ装置のフックを係合させてパネルを吊り上げることを特徴とするものである。
【０００９】
請求項１〜３記載の本発明において、パネル吊り具の材質としては、パネルを吊り上げるのに必要な強度を備えているものであればいずれでもよいものであって、特に限定されるものではないが、例えば、表面防錆塗装された鋼、ステンレス鋼、アルミニウム、ジュラルミン、真鍮のような金属が使用できる。
【００１０】
請求項２、３記載の本発明において、パネルの一面に設けられる凹溝はパネルの一面に穿設することにより形成されていてもよく、パネルの一面に溝型材等を取付けることにより形成されていてもよい。
【００１１】
（作用）
請求項１記載の本発明パネル吊り具においては、フックが設けられた吊り具本体の一面に係止爪片が設けられ、吊り具本体の一面と係止爪片との間に間隔保持用凸部が設けられ、係止爪片には、ほぼ平行な相背向する狭幅の２辺と、ほぼ平行な相背向する広幅の２辺とが設けられ、狭幅の２辺と広幅の２辺との間に斜辺が設けられ、パネルの一面に設けられた凹溝であって奥部の幅が開口部の幅よりも拡大された凹溝の開口部に係止爪片の狭幅の２辺を沿わせて凹溝の開口部から凹溝内に挿入でき、パネル吊り具を回動して広幅の２辺が凹溝奥部の壁面に圧接できるものであるので、一面に奥部が幅広の凹溝が設けられたパネルの凹溝の開口部に、本発明パネル吊り具の係止爪片の狭幅の２辺を沿わせ、凹溝の開口部から凹溝内に本発明パネル吊り具の係止爪片を挿入し、本発明パネル吊り具を回動して本発明パネル吊り具の係止爪片の広幅の２辺を凹溝の奥部の壁面に圧接させることによりパネルに本発明パネル吊り具を容易に強固に取付けることができる。
狭幅の２辺と広幅の２辺との間に斜辺が設けられているので、凹溝の開口部から凹溝内に本発明パネル吊り具の係止爪片を挿入して本発明パネル吊り具を回動する際に本発明パネル吊り具を円滑に回動することができる。
【００１２】
このようにしてパネルに取付けられた本発明パネル吊り具をパネルから取り外す際には、本発明パネル吊り具を回動して本発明パネル吊り具の係止爪片の広幅の２辺と凹溝の奥部の壁面との圧接を解き、本発明パネル吊り具の係止爪片の狭幅の２辺を凹溝の開口部に沿わせ、本発明パネル吊り具の係止爪片を凹溝内から引き抜くことにより本発明パネル吊り具をパネルから容易に取り外すことができる。
狭幅の２辺と広幅の２辺との間に斜辺が設けられているので、本発明パネル吊り具を回動して本発明パネル吊り具の係止爪片の広幅の２辺と凹溝の奥部の壁面との圧接を解く際に本発明パネル吊り具を円滑に回動することができる。
【００１３】
又、請求項２記載のパネル吊り具付きパネルにおいては、パネルの一面に凹溝が設けられ、凹溝の奥部の幅は凹溝の開口部の幅よりも拡大され、凹溝内に請求項１記載のパネル吊り具の係止爪片が挿入され、係止爪片の広幅の２辺が凹溝の奥部の壁面に圧接されているので、パネル吊り具のフックに吊り上げ装置のフックを係合してパネルを吊り上げることができる。
【００１４】
又、係止爪片の狭幅の２辺間の長さは凹溝の開口部の幅の長さとほぼ等しいか若干小さいものであるから、このようにしてパネルに取付けられた本発明パネル吊り具をパネルから取り外す際には、本発明パネル吊り具を回動して本発明パネル吊り具の係止爪片の広幅の２辺と凹溝の奥部の壁面との圧接を解き、本発明パネル吊り具の係止爪片の狭幅の２辺を凹溝の開口部に沿わせ、本発明パネル吊り具の係止爪片を凹溝内から引き抜くことにより本発明パネル吊り具をパネルから取り外すことができる。
【００１５】
又、請求項３記載のパネルの吊り上げ方法においては、請求項２記載のパネルを請求項１記載のパネル吊り具を使用して吊り上げるに当たり、先ず請求項１記載のパネル吊り具の係止爪片の狭幅の２辺をパネルの凹溝の開口部に沿わせ、凹溝の開口部から凹溝内に係止爪片を挿入し、パネル吊り具を回動させることによりパネル吊り具の係止爪片の広幅の２辺を凹溝の奥部の壁面に圧接させてパネルにパネル吊り具を取付けるものであるから、パネルへのパネル吊り具の取付けが容易である。
このようにして、パネルに取付けられたパネル吊り具のフックに吊り上げ装置のフックを係合させてパネルを吊り上げることがてきる。
【００１６】
【発明の実施の形態】
次に、本発明の実施の形態を図面を参照しながら説明する。
図１は本発明パネル吊り具の一例を示す表面側の斜視図、図２は図１に示す本発明パネル吊り具の裏面側の斜視図、図３は図１に示す本発明パネル吊り具の平面図、図４は図１に示す本発明パネル吊り具の側面図、図５は図１に示す本発明パネル吊り具の裏面図である。
【００１７】
図１〜５において、Ａは本発明パネル吊り具であり、１は本発明パネル吊り具Ａの矩形板状吊り具本体であり、吊り具本体１は防錆処理が施された鋼製であり、吊り具本体１の一半側の表面に、防錆処理が施されたＵ形の鋼製フック２の脚部２１が溶接により取付けられている。吊り具本体の１の他半側の裏面にはほぼ防錆処理が施された鋼製台形の係止爪片３が２本の六角穴付きボルト１１、１１により取付けられている。
【００１８】
図６〜９にも示すように、係止爪片３の表面には、間隔保持用短円柱状凸部３１が突設され、短円柱状凸部３１により吊り具本体の１の裏面と係止爪片３の表面との間に間隔が保持されている。短円柱状凸部３１には２個の取付孔３２が穿設され、ほぼ平行な相背向する狭幅の２辺３３、３３と、この狭幅の２辺３３、３３と直角をなしてほぼ平行な相背向する広幅の２辺３４、３４とが設けられ、狭幅の２辺３３、３３と広幅の２辺３４、３４との間に斜辺３５、３５が設けられている。広幅の２辺３４、３４には高さが１．５ｍｍ、幅が１．７ｍｍ程度の三角形の突起が０．８ｍｍ間隔で連続的に突設されることにより係止用凹凸３４１が設けられている。
【００１９】
図５に示すように、係止爪片３はその狭幅の２辺３３、３３が吊り具本体の１の一端縁とは角度θがほぼ約６０度程度右方向に傾斜して吊り具本体の１に取付けられている。
【００２０】
図３に示すように、吊り具本体の１の一端縁からフック２の端部までの長さＬ1 は１３３ｍｍ、吊り具本体の１の横方向の長さＬ2 は４０ｍｍ、吊り具本体の１の縦方向の長さＬ3 は５０ｍｍ、吊り具本体の１の厚さＴ1 は１２ｍｍ、図６に示すように、係止爪片３の狭幅の２辺３３、３３間の長さＬ4 は２８ｍｍ、広幅の２辺３４、３４間の長さＬ5 は４０ｍｍ、広幅の２辺３４、３４の長さＬ6 は１４ｍｍ、係止爪片３の斜辺３５の広幅の２辺３４、３４からの傾斜角度αは３０度、図７に示すように、係止爪片３の厚さＴ2 は１５ｍｍ、係止爪片３の表面に突設されている凸部３１の直径Ｄは２８ｍｍ、厚さＴ3 は４ｍｍ、図８に示すように、２個の取付孔３２、３２の中心を通る中心線と斜辺３５との角度βは約９０度である。
【００２１】
図１０は本発明パネル吊り具の他の一例を示す底面図である。図１〜５に示す本発明パネル吊り具Ａが図５に示すように、係止爪片３が、その狭幅の２辺３３、３３が吊り具本体の１の一端縁とは角度θが約６０度程度右方向に傾斜して吊り具本体の１に取付けられているのに対し、図１０に示す本発明パネル吊り具Ｂにおいては、係止爪片３が、その狭幅の２辺３３、３３が吊り具本体の１の一端縁とは角度θがほぼ約６０度程度左方向に傾斜して吊り具本体の１に取付けられているものである。
図１０に示す本発明パネル吊り具Ｂのその他の点については、図１〜５に示す本発明パネル吊り具Ａと同一の符号を付けることにより説明を省略する。
【００２２】
次に、図１〜５に示す本発明パネル吊り具Ａ及び図１０に示す本発明パネル吊り具Ｂの使用態様を図１１〜１４について説明する。
図１１において、４、４・・は積み重ねられたコンクリート製外壁パネルであり、外壁パネル４の一面には２条の平行な凹溝４１、４１が設けられ、各凹溝４１、４１にはＣ型鋼４２が嵌合取付けられ、図１２、１３の拡大図に示すように、Ｃ型鋼４２の開口部４２１の幅Ｗ1 は約３０ｍｍ、Ｃ型鋼４２の開口部４２１の奥の側壁内面間の幅Ｗ2 は約３７ｍｍである。
【００２３】
図１１に示すように、外壁パネル４の２条の凹溝４１、４１のうち右側の凹溝４１に取付けられているＣ型鋼４２の開口部４２１であって外壁パネル４の一端からの長さＬ6 が２００ｍｍ付近の箇所に、図１２に示すように、本発明パネル吊り具Ａの係止爪片３の狭幅の２辺３３、３３を沿わせ、開口部４２１からＣ型鋼４２の奥に係止爪片３を挿入し、本発明パネル吊り具Ａを矢印ａ方向に約９０度回動させて図１３に示す状態とすることにより本発明パネル吊り具Ａの係止爪片３の広幅の２辺３４、３４をＣ型鋼４２により形成される凹溝の奥部の壁面に圧接させ、広幅の２辺３４、３４の凹凸３４１を係止させて外壁パネル４に本発明パネル吊り具Ａを取付ける。
【００２４】
同様にして、外壁パネル４の左側の凹溝４１に取付けられているＣ型鋼４２の開口部４２１であって外壁パネル４の一端からの長さＬ6 が２００ｍｍ付近の箇所に、本発明パネル吊り具Ｂの係止爪片３の狭幅の２辺３３、３３を沿わせ、開口部４２１からＣ型鋼４２の奥に係止爪片３を挿入し、本発明パネル吊り具Ｂを左方向に約９０度回動させて本発明パネル吊り具Ｂの係止爪片３の広幅の２辺３４、３４をＣ型鋼４２により形成される凹溝の奥部の壁面に圧接させ、広幅の２辺３４、３４の凹凸３４１を係止させて外壁パネル４に本発明パネル吊り具Ｂを取付ける。
【００２５】
このようにして、外壁パネル４の２条の凹溝４１、４１に取付けられているＣ型鋼４２により形成されている凹溝に本発明パネル吊り具Ａ、Ｂを取付け、各本発明パネル吊り具Ａ、Ｂのフック２、２に吊り上げロープ５１の先端のフック５２を引っ掛け、吊り上げロープ５１の上端の吊り輪５３を束ねて図１４に示すように、図示しないクレーンの吊り上げロープ５４の下端のフック５５を引っ掛けて外壁パネル４を吊り上げることができる。
【００２６】
以上、本発明の実施の形態を図により説明したが、本発明の具体的な構成は図示の実施の形態に限定されるものではなく、本発明の要旨を逸脱しない範囲の設計変更は本発明に含まれる。
例えば、本発明パネル吊り具Ａ、Ｂの係止爪片３の広幅の２辺３４、３４の凹凸３４１は必ずしも必要ではないが、凹凸３４１が設けられている方がパネルの凹溝の内壁面との係止が強固にできる効果がある。
【００２７】
又、図示の実施の形態においては、係止爪片３の広幅の２辺３４、３４と狭幅の２辺３３、３３との間に斜辺３５が設けられているので、本発明パネル吊り具Ａ、Ｂを円滑に回動することができる効果がある。
【００２８】
【発明の効果】
請求項１記載の本発明パネル吊り具においては、一面に奥部が幅広の凹溝が設けられたパネルの凹溝の開口部に、本発明パネル吊り具の係止爪片の狭幅の２辺を沿わせ、凹溝の開口部から凹溝内に本発明パネル吊り具の係止爪片を挿入し、本発明パネル吊り具を回動して本発明パネル吊り具の係止爪片の広幅の２辺を凹溝の奥部の壁面に圧接させることによりパネルに本発明パネル吊り具を容易に強固に取付けることができる。
【００２９】
このようにしてパネルに取付けられた本発明パネル吊り具をパネルから取り外す際には、本発明パネル吊り具を円滑に回動して本発明パネル吊り具の係止爪片の広幅の２辺と凹溝の奥部の壁面との圧接を解き、本発明パネル吊り具の係止爪片の狭幅の２辺を凹溝の開口部に沿わせ、本発明パネル吊り具の係止爪片を凹溝内から引き抜くことにより本発明パネル吊り具をパネルから取り外すことができる。
【００３０】
従って、本発明パネル吊り具においては、パネルへの取付け取り外しが容易であり、溶接等の面倒な手間が不要である。
【００３１】
又、請求項２記載のパネル吊り具付きパネルにおいては、パネル吊り具のフックに吊り上げ装置のフックを係合してパネルを吊り上げることができる。
【００３２】
又、請求項３記載のパネルの吊り上げ方法においては、パネルへのパネル吊り具の取付けが容易である。
【図面の簡単な説明】
【図１】本発明パネル吊り具の一例を示す表面側の斜視図。
【図２】図１に示す本発明パネル吊り具の裏面側の斜視図。
【図３】図１に示す本発明パネル吊り具の平面図。
【図４】図１に示す本発明パネル吊り具の側面図。
【図５】図１に示す本発明パネル吊り具の裏面図。
【図６】図１に示す本発明パネル吊り具の係止爪片の平面図。
【図７】図１に示す本発明パネル吊り具の係止爪片の正面図。
【図８】図１に示す本発明パネル吊り具の係止爪片の底面図。
【図９】図１に示す本発明パネル吊り具の係止爪片の右側面図。
【図１０】本発明パネル吊り具の他の一例を示す底面図。
【図１１】本発明パネル吊り具の使用態様を示す斜視図。
【図１２】本発明パネル吊り具の使用態様の要部拡大平面図。
【図１３】本発明パネル吊り具の使用態様の要部拡大平面図。
【図１４】本発明パネル吊り具の使用態様を示す正面図。
【符号の説明】
Ａ，Ｂ    本発明パネル吊り具
１        吊り具本体
１１      六角穴付きボルト
２        フック
２１      脚部
３        係止爪片
３１      凹部
３２      取付孔
３３      狭幅の辺
３４      広幅の辺
３４１    凹凸
３５      斜辺
４        外壁パネル
４１      凹溝
４２      Ｃ型鋼
４２１    開口部
５        フック
【図１】
0003699771.tif 000002
【図２】
0003699771.tif 000003
【図３】
0003699771.tif 000004
【図４】
0003699771.tif 000005
【図５】
0003699771.tif 000006
【図６】
0003699771.tif 000007
【図７】
0003699771.tif 000008
【図８】
0003699771.tif 000009
【図９】
0003699771.tif 000010
【図１０】
0003699771.tif 000011
【図１１】
0003699771.tif 000012
【図１２】
0003699771.tif 000013
【図１３】
0003699771.tif 000014
【図１４】
0003699771.tif 000015